(57)【要約】【課題】  肘掛け部が前後又は上下移動が可能となっているマッサージ機では、リンク機構が介在しているために、肘掛け部を後方に起き上がらせることができない。【解決手段】  座部２の後部にリクライニング可能な背もたれ部３を備えた椅子本体５と、前記座部２の側方に備わった肘掛け部７と、を有し、前記肘掛け部７が、前記背もたれ部３のリクライニング動作に連動して、肘掛け部７前部が前方を向いたまま前後移動又は上下移動するマッサージ機において、前記肘掛け部７は、その前部が回動自由端とされているとともに、その後部が背もたれ部３に対して枢着されて、前記座部２の側方の第１位置から後方に起きあがった第２位置へ向けて回動自在とされている。【選択図】      図１
2005027969.tif 000002
【特許請求の範囲】
【請求項１】
座部の後部にリクライニング可能な背もたれ部を備えた椅子本体と、前記座部の側方に備わった肘掛け部と、を有し、
前記肘掛け部が、前記背もたれ部のリクライニング動作に連動して、肘掛け部が前後移動又は上下移動するマッサージ機において、
前記肘掛け部は、その前部が回動自由端とされているとともに、その後部が背もたれ部に対して枢着されて、前記座部の側方の第１位置から後方に起きあがった第２位置へ向けて回動自在とされていることを特徴とする椅子型マッサージ機。
【請求項２】
前記肘掛け部が第２位置から第１位置へ向かう回動の勢いを低減するダンパー部を備えていることを特徴とする請求項１記載の椅子型マッサージ機。
【請求項３】
前記肘掛け部の前記前後移動又は前記上下移動を前記座部の側方においてガイドするガイド機構を備えていることを特徴とする請求項１又は２記載の椅子型マッサージ機。
【請求項４】
前記ガイド機構は、座部側方において前記肘掛け部側に当接可能なガイド体と、前記ガイド体に当接するように前記肘掛け部に設けられた被ガイド部と、によって構成されていることを特徴とする請求項３記載の椅子型マッサージ機。
【請求項５】
前記ガイド体及び前記被ガイド部のいずれか一方は、ローラとして構成され、他方は当該ローラに当接するガイド面として構成され、
前記ローラと前記ガイド面とが転がり接触することにより前記肘掛け部がガイドされることを特徴とする請求項４記載の椅子型マッサージ機。
【請求項６】
前記ガイド体は、前記座部の上面よりも低い位置に配置されていることを特徴とする請求項４又は５記載の椅子型マッサージ機。
【請求項７】
前記肘掛け部は、前記肘掛け部の前後移動に伴って前記背もたれ部に対する当該肘掛け部の角度が変化するように設けられていることを特徴とする請求項１〜６のいずれかに記載の椅子型マッサージ機。
【請求項８】
座部の後部にリクライニング可能な背もたれ部を備えた椅子本体と、前記座部の側方に備わった肘掛け部と、を有する椅子型マッサージ機において、
前記肘掛け部は、肘掛け部上面が前記座部の上面よりも高い位置を保ったまま、前記背もたれ部が後方に倒れると連動して後方に移動し、前記背もたれ部が前方に起きあがると連動して前方移動するように設けられ、
さらに、前記肘掛け部は、その後部が前記背もたれ部に対して回動自在に枢着されている、
ことを特徴とする椅子型マッサージ機。
【発明の詳細な説明】
【技術分野】
【０００１】
本発明は、椅子型マッサージ機に関するものである。
【背景技術】
【０００２】
椅子型マッサージ機は、座部と、座部の後部に配置された背もたれ部と、座部の両側方に配置された肘掛け部とを備えている。
背もたれ部は、リクライニング可能となっているものがあり、後方に倒したり前方に起こしたりすることができる。
肘掛け部は、着座した被施療者が腕を置くことができるように、座部の上面（座面）よりも高い位置に配置されている。
【０００３】
特許文献１には、背もたれに肘掛けをリンク機構で取り付けて、背もたれの傾斜角度に応じて肘掛けの高さを調節自在にしたマッサージ機が記載されている。このマッサージ機は、肘掛けの高さが変化するときには、前後方向位置も変化している。また、特許文献２にも、同様のマッサージ機が記載されている。
【特許文献１】特開２００１−１９０３５２号公報
【特許文献２】特開２００３−７０８５９号公報
【発明の開示】
【発明が解決しようとする課題】
【０００４】
特許文献１及び２のマッサージ機では、肘掛け部がリンク機構を介して設けられていることで、前後又は上下移動が可能となっているが、リンク機構が介在しているために、肘掛け部を後方に起き上がらせることができない。
【課題を解決するための手段】
【０００５】
本発明は、座部の後部にリクライニング可能な背もたれ部を備えた椅子本体と、前記座部の側方に備わった肘掛け部と、を有し、前記肘掛け部が、前記背もたれ部のリクライニング動作に連動して、肘掛け部前部が前後移動又は上下移動するマッサージ機において、前記肘掛け部は、その前部が回動自由端とされているとともに、その後部が背もたれ部に対して枢着されて、前記座部の側方の第１位置から後方に起きあがった第２位置へ向けて回動自在とされていることを特徴とする。
【０００６】
肘掛け部は、後部が背もたれ部に取り付けられているため、背もたれ部のリクライニング動作に連動して、前後移動又は上下移動（前後移動と上下移動の複合動作でもよい）が生じる。しかも、肘掛け部の前部は、回動自由端であるため、肘掛けを後方に起き上がらせることができる。
肘掛け部を後方に大きく起きあがらせた場合には、被施療者は、座部の側方から着座することが可能である。また、肘掛け部が不要のときには、肘掛けを後方に起き上がらせて退避させることができる。
【０００７】
前記肘掛け部が第２位置から第１位置へ向かう回動の勢いを低減するダンパー部を備えているのが好ましい。ダンパー部を備えていることで、肘掛け部が自重などによって急激に第１位置へ落下することが防止できる。
【０００８】
前記肘掛け部の前記前後移動又は前記上下移動を前記座部の側方においてガイドするガイド機構を備えているのが好ましい。この場合、肘掛け部の前後移動又は上下移動が円滑に行われる。前記ガイド機構は、座部側方において前記肘掛け部側に当接可能なガイド体と、前記ガイド体に当接するように前記肘掛け部に設けられた被ガイド部と、によって構成されているのが好ましい。
【０００９】
前記ガイド体及び前記被ガイド部のいずれか一方は、ローラとして構成され、他方は当該ローラに当接するガイド面として構成され、前記ローラと前記ガイド面とが転がり接触することにより前記肘掛け部がガイドされるのが好ましい。ローラとガイド面との転がり接触によりガイドが一層円滑となる。
【００１０】
前記ガイド体は、前記座部の上面よりも低い位置に配置されているのが好ましい。ガイド体が座部上面よりも高い位置にあると、肘掛け部を後方に起き上がらせても、座部側方においてガイド体が座部上面よりも突出してしまうが、ガイド体を前記座部の上面よりも低い位置に配置すれば、かかる問題を防止できる。
【００１１】
前記肘掛け部は、前記肘掛け部の前後移動に伴って前記背もたれ部に対する当該肘掛け部の角度が変化するように設けられているのが好ましい。肘掛け部の前部を自由端とする場合であっても、肘掛け部の前後移動に伴って背もたれ部に対する当該肘掛けの角度を変化させることで、肘掛けに載せる手の位置が適切になって、よりリラックスすることができる。
【００１２】
他の観点からみた本発明は、座部の後部にリクライニング可能な背もたれ部を備えた椅子本体と、前記座部の側方に備わった肘掛け部と、を有する椅子型マッサージ機において、前記肘掛け部は、肘掛け部上面が前記座部の上面よりも高い位置を保ったまま、前記背もたれ部が後方に倒れると連動して後方に移動し、前記背もたれ部が前方に起きあがると連動して前方移動するように設けられ、さらに、前記肘掛け部は、その後部が前記背もたれ部に対して回動自在に枢着されている、ことを特徴とする。肘掛け部が、背もたれ部のリクライニングに連動した前後移動をしても、座部上面よりも高い位置を保つことで、手を載せる肘掛けとしての機能が維持される。しかも、肘掛け部が邪魔なときには、後方に回動させることができるため、利便性が高い。
【発明を実施するための最良の形態】
【００１３】
以下、本発明の実施形態を図面に基づいて説明する。
図１は、椅子型のマッサージ機１を示している。この椅子型マッサージ機１は、座部２と、座部２の後部に配置された背もたれ部３と、座部の前部に配置された脚載部４と、を有する椅子本体５を具備している。
【００１４】
座部２は、その上面（座面）２ａが、前側ほど高くなるように傾斜した前方上向き傾斜面とされており、被施療者が深く腰掛け易くなっている。
背もたれ部３は、その下部位置を回動中心３ａとして、リクライニング可能に構成されており、図１の位置から後方に倒したり、倒れた状態から前方に起こして図１の位置に復帰させることができる。リクライニングは、電動モータや流体シリンダなどの図示しないリクライニング駆動部によって行われる。なお、背もたれ部３は、図２のように完全に起きた状態で、やや後方傾斜している。
【００１５】
脚載部４は、上下回動可能に構成されており、図１の実線で示す下向きの位置から前方に回動させて、図１の点線で示す略水平位置になるまで上昇させたり、上昇した状態から後方に回動させて下向きの位置に復帰させることができる。脚載部４の回動も、電動モータや流体シリンダなどの図示しないリクライニング駆動部によって行われる。
【００１６】
背もたれ部３を後方に倒し、脚載部４を上昇させると、背もたれ部３から脚載部４までの範囲が略フラットになり、被施療者は横臥状態をとることができる。座部２、背もたれ部３、脚載部４のいずれか又は全部には、マッサージ具（図示省略）が配置されており、着座状態又は横臥状態の被施療者にマッサージを施すことができる。マッサージ具としては、モータによって駆動される揉み玉や、空気の給排によって膨張収縮するエアセルなど様々なものを採用できる。
【００１７】
座部２の左右両側には、肘掛け部７，７が配置されており、被施療者は、手を肘掛け部７，７に載せてリラックスすることができる。肘掛け部７は、その後部が背もたれ部３の左右側面に取り付けられており、座部２の左右両側方位置（座部上面２ａよりも上方）において前方に延設されている。肘掛け部７は、その後部が背もたれ部３内部において背もたれ部としての骨格をなす背もたれフレーム（図示省略）に対して枢着されており、左右方向の軸９まわりに回動自在である。つまり、肘掛け部７は、その後部が回動基部となっている。一方、肘掛け部７の前部は、他所に取り付けられておらず、回動自由端となっている。
したがって、肘掛け部７は、回動基部（軸９）を中心に回動することができ、図１及び図２のようにその前部が略前方を向いた状態や、図３のように、その前部が上方に向くように後方に回動して起き上がった状態をとることができる。なお、左右の肘掛け部７，７は、それぞれ独立して回動可能であるが、両者７，７が一体的に回動してもよい。また、一方の肘掛け部７だけが回動可能であってもよい。
【００１８】
回動基部（軸９）を中心とした肘掛け部７の後方回動の範囲は、図１及び図２のように、肘掛け部７が座部２の側方に位置している状態（＝第１位置）から、図３のように肘掛け部７が（起き上がった）背もたれ部３の側方に位置している状態（＝第２位置）に制限されている。なお、肘掛け部７は、第２位置からさらに後方回動可能であってもよい。
【００１９】
第１位置が、肘掛け部７の通常の使用位置である。第１位置にある肘掛け部７には、被施療者が手を載せることができる。一方、肘掛け部７が邪魔な場合や、被施療者が座部２の側方から着座又は離座したい場合（以下、座部側方からの着座又は離座を「側方着離座」という）には、図３に示すように、肘掛け部７を第２位置まで回動させることで、座部２の側方に側方着離座にとって邪魔な肘掛け部７が存在しない状態となり、被施療者は楽に側方着離座を行うことができる。
【００２０】
肘掛け部７は、背もたれ部３の側方となる第２位置よりも後方への回動が規制されており、肘掛け部７を邪魔にならない背もたれ部３の側方位置で位置決めすることができる。また、背もたれ部３は、起きた状態でやや後方傾斜しているため、この後方傾斜状の背もたれ部３の側方位置で回動を規制すると、肘掛け部７を積極的に第２位置で保持しなくとも、肘掛け部７は自重によって後方への回動力が作用し、前方回動を防止できる。
つまり、第２位置は、肘掛け部７が鉛直方向よりも後方に傾斜した状態に設定するのが好ましい。
【００２１】
図４に示すように、肘掛け部７の回動のための軸９は、背もたれ部３側に一体的に設けられ、肘掛け部７の後部に挿通されている。軸部９には、肘掛け部の回動の勢いを摩擦によって低減するためのダンパー部１０が備わっている。ダンパー部１０は、軸９の周囲に同軸状に配置され、肘掛け部７に一体的に取り付けられた筒体１０ａと、筒体１０ａの内側に遊嵌するように軸体９に一体的に設けられた内筒体１０ｂと、軸体９に遊嵌し筒体１０ａと内筒体１０ｂに当接する当接体１０ｃと、当接体１０ｃを筒体１０ａと内筒体１０ｂ側へ付勢するバネ１０ｄとを有している。相対回転する筒体１０ａ及び内筒体１０ｂは、共通の当接体１０ｃに当接していることで、相対回転時に当接体１０ｃとの間で摩擦を生じる。この摩擦は、肘掛け部７の回動に対する抵抗となる。
【００２２】
肘掛け部７が第２位置から第１位置へ下降する場合に、前記摩擦は当該下降に対する抵抗となり、下降の勢いが低減される。また、前記摩擦は、肘掛け部７の自重によって下降回動できる程度に抑えられており、肘掛け部７を鉛直向きよりも前方に倒せば、その後は外部からの力を加えなくとも自然に第１位置まで下降回動する。つまり、肘掛け部７は、簡単かつ滑らかに第２位置から第１位置へ移動する。
なお、図示のダンパー部１０は、肘掛け部７を第１位置から第２位置へ上昇回動させる場合にも作用するが、上昇回動を楽にするために、ダンパー部１０に一方向クラッチ等を採用して、第２位置から第１位置への移動にのみダンパー機能が生じ、第１位置から第２位置への移動にはダンパー機能が生じないようにしてもよい。
【００２３】
図５及び図６に示すように、自由端である肘掛け部７の前部は、ガイド機構１１によって支持されており、このガイド機構１１が、背もたれ部３のリクライニングに連動した肘掛け部７の移動をガイドしている。
ガイド機構１１は、座部２の側部に設けられたガイド体１２と、当該ガイド体１２によってガイドされるように肘掛け部７に設けられた被ガイド部１３と、を有して構成されている。なお、肘掛け部７は、自重によって前部が下方回動するように設けられているため、肘掛け部７を自重に逆らって持ち上げない限り、ガイド体１２と被ガイド部１３との接触は自然に維持される。また、肘掛け部７は、自重によって前部が下方回動するのに代えて又は加えて、バネ等の付勢具によって下方回動するように付勢されていてもよい。
【００２４】
ガイド体１２は、座部２の左右両側部位置に設けられたサイドカバー部１４の上部に配置されており、座部上面２ａよりも低い位置に設けられたローラによって構成されている。ローラ１２は、座部２を支持するための座部フレーム（図示省略）に取り付けられており、前記サイドカバー１４によってローラ上部だけが上方に露出するように覆われている。なお、ローラ１２は、左右の軸心まわりに回転自在である。
【００２５】
なお、前記サイドカバー部１４は、座部２側面や座部下方（後述の空気給排装置等が配置されるスペース）がマッサージ機１の側方から見えないようにするためのものである。また、サイドカバー部１４には、サイドカバー部１４上部から突出したローラ１２がマッサージ機側方から見えないようにする目隠し体１５が上方延設されている。この目隠し体１５は、ローラ１２の左右外側方位置において当該ローラ１２よりも上方にまで延びており、座部上面２ａと略同じ高さを持っている。
【００２６】
被ガイド部１３は、肘掛け部７の下部に設けられており、ローラ１２に当接する当接ガイド面１３ａを有している。図５及び図６の状態では、肘掛け部７は、その自重によって当接ガイド面１３ａがローラ１２に当接している。当接ガイド面１３ａがローラ１２に当接することで、肘掛け部７が第１位置（図５及び図６の状態）からさらに下方回動するのが規制されている。つまり、ローラ１２は、肘掛け部７を下方から支えている。
【００２７】
図７のように、背もたれ部３を後方に倒すと、軸９を介して背もたれ部３に取り付けられている肘掛け部７は、前部が前方を向いたまま背もたれ部３に引っ張られて後方に移動する。このとき、肘掛け部７は、背もたれ部３に対して回動自在であり、肘掛け部７の前部は、ローラ１２によって前後動自在に支持されているだけであるため、肘掛け部７の後方移動は妨げられない。
また、背もたれ部３が倒れることで、軸９の位置も下方に移動するため、肘掛け部７は全体的に（特に、後側が）下方にも移動する。
【００２８】
肘掛け部７が背もたれ部３に対して回動自在でない場合には、背もたれ部３に対する肘掛け部７の角度が維持されるため、背もたれ部３が後方に倒れた場合、肘掛け部３が大きく上向きとなってしまい、手を肘掛け７に置きにくくなる。これに対し、本実施形態では、肘掛け部７が背もたれ部３に対して回動自在であるため、背もたれ部３が後方に倒れると、背もたれ部３に対する肘掛け部７の角度が開いて、肘掛け部７が前方を向いたままの状態が維持される。
【００２９】
被ガイド部１３は、後側が上下に厚肉であり、前側が薄肉となっており、当接ガイド面１３ａは、前方上向きに傾斜している。このため、肘掛け部７が後方移動して、当接ガイド面１３ａの前部がローラ１２と当接すると、肘掛け部７の前部がやや下がり、横臥状態において、被施療者が手を置き易くなる。
肘掛け部７の上面７ａは、前後移動の全範囲において、常に座部上面２ａよりも上方に位置している。このため、被施療者は、着座状態であっても横臥状態であっても適切な状態で手をおくことができる。
【００３０】
左右の肘掛け部７には、それぞれ手用マッサージ具２０が設けられている。このマッサージ具２０は、手首よりも先の部分をマッサージするのに適したものであり、肘掛け部７に載せた手を入れることができるトンネル状の支持体２２を有している。
【００３１】
支持体２２は、前後方向（肘掛け部７の長手方向）両側が開口しており、後側の開口２７から手を支持体２２内側に挿入させることができ、前側の開口２８から挿入した手（指先）を出すことができる。支持体２２は、手の甲（手のひら）がその内部に位置し、手首よりも肩側及び指先は、支持体２２外に位置する程度の前後方向長さに設定されており、手の甲又は手のひらをマッサージするのに適した大きさとなっている。
【００３２】
支持体２２は、硬質の材料によって形成されており、その内面には、空気の給排によって膨張収縮して手を押圧するエアセル（図示省略）が設けられている。
手用マッサージ具２０は、手のひら又は手の甲をマッサージできるように、肘掛け部７の先端部に設けられているが、肘掛け部７は、背もたれ部３を後方に倒したときに連動して後方へ移動するため、手用マッサージ具２０も後方へ移動することになる。したがって、背もたれ部３を倒して被施療者が横臥状態となっているときでも、被施療者は、手用マッサージ具２０によって手（ハンド部）に対するマッサージを受けることができる。
【００３３】
このように、肘掛け部７自体が前後移動可能であれば、手用マッサージ具２０を肘掛け部７に位置固定的に設けても、肘掛け部７を前後移動させることで、マッサージ具２０の前後位置を調整することができる。なお、マッサージ具２０を肘掛け部７に対して前後移動可能に設けても良い。
【００３４】
なお、肘掛け部７に設けられるマッサージ具は、エアセルによってマッサージを行うものに限らず、電動マッサージ具若しくは単なる指圧突起だけからなるもの、又はその他のマッサージ具であってもよい。
【００３５】
図８〜図１０は、第２実施形態に係る椅子型マッサージ機１を示している。このマッサージ機１は、ガイド機構１１が第１実施形態のものと異なるだけで、その他の点は、第１実施形態のものと同様である。
第２実施形態におけるガイド機構１１は、座部２の側部に設けられたガイド体１１２と、肘掛け部７に設けられた被ガイド部１１３と、を有して構成されているが、ここでは、ガイド体１１２は、座部２の左右両側部位置に設けられたサイドカバー部１４の上部に配置されたガイド面として構成されている。また、被ガイド部１１３は、肘掛け部７の下部に設けられ、前記ガイド面１１２を転動可能なローラによって構成されている。
【００３６】
ガイド体であるガイド面１１２は、座部上面２ａよりも低い位置に配置されている。ガイド面１１２は、ガイド面形成体１１５に形成された平坦な面であり、このガイド面形成体１１５は、サイドカバー部１４とは別体に形成されたものを当該サイドカバー部１４に取り付けている。ガイド面形成体１１５はローラ１１３の転動に耐えうるようにサイドカバー部よりも硬質の材料によって形成されている。
【００３７】
図９のように背もたれ部３を後方に倒すと、肘掛け部７も後方移動し、その際、ローラ１１３はガイド面１１２上を転動して後方に移動して肘掛け部７の後方移動がガイドされる。また、肘掛け部７の前方移動も同様にガイドされる。
【００３８】
なお、本発明は、上記実施形態に限定されるものではない。例えば、ガイド機構は、ガイド体と被ガイド体とが転がり接触するものだけでなく、滑り接触するものであってもよい。また、ダンパー部は、バネの付勢によって生じる摩擦を利用するものに限らず、減速ギヤなどを軸９に介在させることで、回動の勢いを低減させるものであってもよい。
【図面の簡単な説明】
【００３９】
【図１】第１実施形態に係る椅子型マッサージ機の斜視図である。
【図２】椅子型マッサージ機の側面図である。
【図３】肘掛け部を上方に回動させた状態の椅子型マッサージ機の側面図である。
【図４】ダンパー部の断面図である。
【図５】ガイド機構を示す側面図である。
【図６】図５のＡ−Ａ線断面図である。
【図７】背もたれ部を後方に倒した状態の椅子型マッサージ機の側面図である。
【図８】第２実施形態に係る椅子型マッサージ機の側面図である。
【図９】背もたれ部を後方に倒した状態の椅子型マッサージ機の側面図である。
【図１０】ガイド機構の拡大断面図である。
【符号の説明】
【００４０】
１  マッサージ機
２  座部
２ａ  座部上面
３  背もたれ部
５  椅子本体
７  肘掛け部
７ａ  肘掛け部上面
１０  ダンパー部
１１  ガイド機構
１２  ローラ（ガイド体）
１３  被ガイド部
１３ａ  当接ガイド面
２０  マッサージ具
１１２  ガイド面（ガイド体）
１１３  ローラ（被ガイド部）
【図１】
2005027969.tif 000003
【図２】
2005027969.tif 000004
【図３】
2005027969.tif 000005
【図４】
2005027969.tif 000006
【図５】
2005027969.tif 000007
【図６】
2005027969.tif 000008
【図７】
2005027969.tif 000009
【図８】
2005027969.tif 000010
【図９】
2005027969.tif 000011
【図１０】
2005027969.tif 000012